【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
決定されたフィルタ係数を有し、かつ入力信号をフィルタリングするように構成されたローパスフィルタと、
差分信号に基づいて量子化信号を生成するように構成されたエンコーダと、を備え、
前記エンコーダは、適応量子化器と、
フィードバック信号を生成するように構成され、かつ逆量子化器および予測器回路を有するデコーダと、を含み、
前記予測器回路は前記ローパスフィルタの周波数応答に基づいて決定された制御パラメータを有する、装置。
【請求項２】
前記ローパスフィルタの前記決定されたフィルタ係数は前記ローパスフィルタの固定フィルタ係数であり、前記予測器回路は、有限インパルス応答（ＦＩＲ）フィルタを含み、前記予測器回路の前記決定された制御パラメータは、前記ＦＩＲフィルタの固定フィルタ係数を含む、請求項１に記載の装置。
【請求項３】
前記エンコーダは、前記適応量子化器によって生成された量子化信号ワードに基づいてコードワードを生成するように構成された符号化回路を含む、請求項１に記載の装置。
【請求項４】
前記符号化回路は、
量子化信号ワードが対応する符号化コードワードに関連付けられていない、
符号化されるべき信号の信号チャネルの終わり、および
前記符号化されるべき信号の終わり、のうちの少なくとも１つに応じてエスケープコードを生成するように構成される、請求項３に記載の装置。
【請求項５】
前記符号化回路は、ハフマン符号化を使用して前記コードワードを生成するように構成される、請求項３に記載の装置。
【請求項６】
前記適応量子化器は可変レート量子化器である、請求項１に記載の装置。
【請求項７】
前記適応量子化器によって生成される前記量子化信号のステップサイズおよびビットレートは可変である、請求項６に記載の装置。
【請求項８】
前記適応量子化器は、
ｄｎ＋１＝βｄｎ＋ｍ（ｃｎ／Ｌｆａｃｔｏｒ）
に従って、ステップサイズを制御するように構成され、ここで、ｃｎは現在の量子化信号ワードであり、ｄｎは対数領域における現在のステップサイズに対応し、Ｌｆａｃｔｏｒは負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｎ＋１は、次の量子化信号ワードｃｎ＋１に適用される前記対数領域のステップサイズに対応する、請求項６に記載の装置。
【請求項９】
前記適応量子化器は、
ｄｎ＋１＝ｍａｘ（βｄｎ＋ｍ（ｃｎ／Ｌｆａｃｔｏｒ），ｄｍｉｎ）
に従って、ステップサイズを制御するように構成され、ここで、ｃｎは現在の量子化信号ワードであり、ｄｎは対数領域における現在のステップサイズに対応し、Ｌｆａｃｔｏｒは負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｍｉｎは前記対数領域の閾値ステップサイズであり、ｄｎ＋１は、次の量子化信号ワードｃｎ＋１に適用される前記対数領域のステップサイズに対応する、請求項６に記載の装置。
【請求項１０】
入力信号をフィルタリングするステップであって、前記フィルタリングステップは決定されたフィルタ係数を有するローパスフィルタを使用するステップと、
フィードバックループを使用して、前記フィルタリングされた入力信号を符号化するステップとを含み、
前記符号化ステップは、
適応量子化器を使用して差分信号に基づいて量子化信号を生成するステップと、
逆量子化器、および前記ローパスフィルタの周波数応答に基づいて決定された制御パラメータを有する予測器回路とを使用して、前記量子化信号に基づいてフィードバック信号を生成するステップと、
前記フィードバック信号および前記フィルタリングされた入力信号に基づいて前記差分信号を生成するステップとを含む、方法。
【請求項１１】
前記適応量子化器によって生成された量子化信号ワードに基づいてコードワードを生成するステップを含む、
請求項１０に記載の方法。
【請求項１２】
量子化信号ワードが対応する符号化コードワードに関連付けられていない、
符号化されるべき信号の信号チャネルの終わり、および
前記符号化されるべき信号の終わり、
のうちの少なくとも１つに応じてエスケープコードを生成するステップを含む、
請求項１１に記載の方法。
【請求項１３】
前記適応量子化器のステップサイズを、
ｄｎ＋１＝ｍａｘ（βｄｎ＋ｍ（ｃｎ／Ｌｆａｃｔｏｒ），ｄｍｉｎ）
に従って制御するステップを含み、ここで、ｃｎは現在の量子化信号ワードであり、ｄｎは対数領域における現在のステップサイズに対応し、Ｌｆａｃｔｏｒは負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｍｉｎは前記対数領域の閾値ステップサイズであり、ｄｎ＋１は、次の量子化信号ワードｃｎ＋１に適用される前記対数領域のステップサイズに対応する、
請求項１０に記載の方法。
【請求項１４】
装置であって、
量子化信号に基づいて復号された信号を生成するように構成されたデコーダを含み、前記デコーダは、
逆量子化器と、
予測器回路とを含み、前記装置はさらに、
決定されたフィルタ係数を有し、前記デコーダの出力を受け取るように構成されたローパスフィルタを含み、前記予測器回路は、前記ローパスフィルタの周波数応答に基づいて決定された制御パラメータを有する、装置。
【請求項１５】
前記ローパスフィルタの前記決定されたフィルタ係数は前記ローパスフィルタの固定フィルタ係数であり、前記予測器回路は、有限インパルス応答（ＦＩＲ）フィルタを含み、前記予測器回路の前記決定された制御パラメータは、前記ＦＩＲフィルタの固定フィルタ係数を含む、請求項１４に記載の装置。
【請求項１６】
前記デコーダは、前記デコーダによって受信されたビットストリーム内のコードワードに基づいて量子化信号ワードを生成するように構成された復号回路を含む、請求項１４に記載の装置。
【請求項１７】
前記復号回路は、
エスケープコードが、前記ビットストリームに量子化信号ワードが含まれることを示す、
エスケープコードが信号チャネルの終わりを示す、
エスケープコードが符号化されるべき信号の終わりを示す、のうちの少なくとも１つに応じるように構成される、請求項１６に記載の装置。
【請求項１８】
前記復号回路は、ハフマン符号化を使用して前記ビットストリーム内のコードワードを復号するように構成される、請求項１６に記載の装置。
【請求項１９】
前記逆量子化器は可変レート逆量子化器である、請求項１４に記載の装置。
【請求項２０】
前記逆量子化器は、
ｄｎ＋１＝βｄｎ＋ｍ（ｃｎ／Ｌｆａｃｔｏｒ）
に従って、ステップサイズを制御するように構成され、ここで、ｃｎは現在の量子化信号ワードであり、ｄｎは対数領域における現在のステップサイズに対応し、Ｌｆａｃｔｏｒは負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｎ＋１は、次の量子化信号ワードｃｎ＋１に適用される前記対数領域のステップサイズに対応する、請求項１４に記載の装置。
【請求項２１】
前記逆量子化器は、
ｄｎ＋１＝ｍａｘ（βｄｎ＋ｍ（ｃｎ／Ｌｆａｃｔｏｒ），ｄｍｉｎ）
に従って、ステップサイズを制御するように構成され、ここで、ｃｎは現在の量子化信号ワードであり、ｄｎは対数領域における現在のステップサイズに対応し、Ｌｆａｃｔｏｒは負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｍｉｎは前記対数領域の閾値ステップサイズであり、ｄｎ＋１は、次の量子化信号ワードｃｎ＋１に適用される前記対数領域のステップサイズに対応する、請求項１４に記載の装置。
【請求項２２】
フィードバックループを使用して符号化信号を復号するステップを含み、前記復号ステップは、
逆量子化器を使用して量子化信号を逆量子化するステップと、
予測器回路を使用して前記量子化信号に基づいて予測信号を生成するステップと、
決定されたフィルタ係数を有するローパスフィルタを用いて前記復号信号をフィルタリングするステップとを含み、前記予測器回路は、前記ローパスフィルタの周波数応答に基づいて決定された制御パラメータを有する、方法。
【請求項２３】
前記符号化信号のビットストリームに含まれるコードワードに基づいて量子化信号ワードを生成するステップを含む、
請求項２２に記載の方法。
【請求項２４】
前記コードワードに基づいて前記量子化信号ワードを生成するためにエスケープ符号化を使用するステップを含む、請求項２３に記載の方法。
【請求項２５】
装置であって、
差分信号に基づいて量子化信号ワードを生成するように構成されたエンコーダを含み、
前記エンコーダは、
適応量子化器を含み、前記適応量子化器によって適用されるステップサイズは、フィードバックループ内で、負荷係数と前記適応量子化器によって生成された量子化信号ワードとに基づいて生成され、
前記エンコーダはさらに、予測信号を生成するように構成され、かつ逆量子化器および予測器回路を有するデコーダを含み、
前記装置はさらに、前記適応量子化器によって生成された量子化信号ワードに基づいてコードワードを生成するように構成された符号化回路を含み、前記符号化回路は、対応する符号化コードワードに関連していない量子化信号ワードに応答してエスケープ符号を生成するように構成される、装置。
【請求項２６】
前記符号化回路は、
信号チャネルの終わり、および
符号化されるべき信号の終わり、のうちの少なくとも１つに応じてエスケープコードを生成するように構成される、請求項２５に記載の装置。
【請求項２７】
前記符号化回路は、ハフマン符号化を使用して前記コードワードを生成するように構成される、請求項２５に記載の装置。
【請求項２８】
前記フィードバックループは、
ｄｎ＋１＝βｄｎ＋ｍ（ｃｎ／Ｌｆａｃｔｏｒ）
に従って、前記ステップサイズを生成するように構成され、ここで、ｃｎは現在の量子化信号ワードであり、ｄｎは対数領域における現在のステップサイズに対応し、Ｌｆａｃｔｏｒは前記負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｎ＋１は、次の量子化信号ワードｃｎ＋１に適用される前記対数領域のステップサイズに対応する、請求項２５に記載の装置。
【請求項２９】
前記フィードバックループは、
ｄｎ＋１＝ｍａｘ（βｄｎ＋ｍ（ｃｎ／Ｌｆａｃｔｏｒ），ｄｍｉｎ）
に従って、前記ステップサイズを生成するように構成され、ここで、ｃｎは現在の量子化信号ワードであり、ｄｎは対数領域における現在のステップサイズに対応し、Ｌｆａｃｔｏｒは前記負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｍｉｎは前記対数領域の閾値ステップサイズであり、ｄｎ＋１は、次の量子化信号ワードｃｎ＋１に適用される前記対数領域のステップサイズに対応する、請求項２５に記載の装置。
【請求項３０】
方法であって、
信号を符号化するステップを含み、前記符号化ステップは、
差分信号に基づいて量子化信号ワードを生成するステップであって、量子化ステップサイズは、負荷係数および前記生成された量子化信号ワードに基づいてフィードバックループにおいて決定される、ステップと、
前記生成された量子化信号ワードに基づいて予測信号を生成するステップと、
前記符号化すべき信号および前記予測信号に基づいて前記差分信号を生成するステップと、
前記量子化信号ワードに基づいてコードワードを生成するステップとを含み、前記コードワードを生成するステップは、対応する符号化コードワードに関連しない量子化信号ワードに応答してエスケープコードを生成するステップを含む、方法。
【請求項３１】
前記符号化されるべき信号の信号チャネルの終わり、および
前記符号化されるべき信号の終わり、
のうちの少なくとも１つに応じてエスケープコードを生成するステップを含む、
請求項３０に記載の方法。
【請求項３２】
ハフマン符号化を使用して前記コードワードを生成するステップを含む、
請求項３０に記載の方法。
【請求項３３】
装置であって、
ビットストリームに含まれるコードワードに基づいて量子化信号ワードを生成するように構成された復号回路であって、量子化信号ワードが前記ビットストリームに含まれることを示す前記ビットストリーム内のエスケープコードに応答するように構成される、復号回路と、
逆量子化器であって、前記逆量子化器によって適用されるステップサイズはフィードバックループで生成され、かつ前記復号回路から前記逆量子化器によって受信された負荷係数および量子化信号ワードに基づいている、逆量子化器と、
前記逆量子化器に結合された予測器回路とを含む、装置。
【請求項３４】
前記符号化回路は、
信号チャネルの終了を示すエスケープコード、および
符号化すべき信号の終わりを示すエスケープコードのうちの少なくとも１つに応じるように構成される、請求項３３に記載の装置。
【請求項３５】
前記符号化回路は、ハフマン符号化を使用して前記量子化信号ワードを生成するように構成される、請求項３３に記載の装置。
【請求項３６】
前記フィードバックループは、
ｄｎ＋１＝ｄｎ＋ｍ（ｃｎ／Ｌｆａｃｔｏｒ）
に従って、前記ステップサイズを生成するように構成され、ここで、ｃｎは現在の量子化信号ワードであり、ｄｎは対数領域における現在のステップサイズに対応し、Ｌｆａｃｔｏｒは前記負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｎ＋１は、次の量子化信号ワードｃｎ＋１に適用される前記対数領域のステップサイズに対応する、請求項３３に記載の装置。
【請求項３７】
前記フィードバックループは、
ｄｎ＋１＝ｍａｘ（βｄｎ＋ｍ（ｃｎ／Ｌｆａｃｔｏｒ），ｄｍｉｎ）
に従って、前記ステップサイズを生成するように構成され、ここで、ｃｎは現在の量子化信号ワードであり、ｄｎは対数領域における現在のステップサイズに対応し、Ｌｆａｃｔｏｒは前記負荷係数であり、ｍ（ｃｎ／Ｌｆａｃｔｏｒ）は前記現在の量子化信号ｃｎおよび前記負荷係数Ｌｆａｃｔｏｒに基づいて選択された対数乗数であり、βは漏れ係数であり、ｄｍｉｎは前記対数領域の閾値ステップサイズであり、ｄｎ＋１は、次の量子化信号ワードｃｎ＋１に適用される前記対数領域のステップサイズに対応する、請求項３３に記載の装置。
【請求項３８】
方法であって、
ビットストリームに含まれるコードワードに基づいて量子化信号ワードを生成するステップであって、量子化信号ワードが前記ビットストリームに含まれることを示す前記ビットストリーム内のエスケープコードに応答するステップを含む、ステップと
前記生成された量子化信号ワードを逆量子化するステップであって、前記逆量子化ステップにおいて適用されるステップサイズは、フィードバックループにおいて、負荷係数および前記生成された量子化信号ワードに基づいて決定される、ステップと、
前記生成された量子化信号ワードに基づいて予測信号を生成するステップとを含む、方法。
【請求項３９】
前記量子化信号ワードを生成するステップは、
信号チャネルの終了を示すエスケープコード、および
符号化すべき信号の終わりを示すエスケープコードのうちの少なくとも１つに応じるステップを含む、請求項３８に記載の方法。
【請求項４０】
前記量子化信号ワードを生成するステップは、ハフマン符号化を使用するステップを含む、請求項３８に記載の方法。